(57)【要約】【課題】立設装置を立てた状態で支持装置の所定位置に装着する。【解決手段】立てた状態に支持固定される立設装置は、上記立設装置の背面筐体の下位部に設けられた突起状のガイド部と、上記ガイド部に隣接した位置に上記立設装置を仮に固定するシャフトを挿入する案内孔とを有し、上記立設装置を立てた状態で支持装置に装着するとき、上記ガイド部を用いて上記支持部の案内溝に位置合わせする。【選択図】図７
2009171321.tif 000002
【特許請求の範囲】
【請求項１】
立てた状態に支持固定される立設装置であって、
上記立設装置は、
上記立設装置の背面筐体の下位部に設けられた突起状のガイド部と、
上記ガイド部に隣接した位置に上記立設装置を仮に固定するシャフトを挿入する案内孔と
を有する
立設装置。
【請求項２】
上記ガイド部は、鞍状の輪郭をして筒状に形成された
請求項１記載の立設装置。
【請求項３】
上記立設装置は、上記背面筐体の下位部に上記シャフトが挿入される第１のシャフト取付部を有する
請求項１記載の立設装置。
【請求項４】
上記立設装置は、前面筐体の下位部に上記シャフトが挿入される第２のシャフト取付部を有する
請求項１記載の立設装置。
【請求項５】
上記立設装置はディスプレイ部を有し、該ディスプレイ部の背面筐体に該ディスプレイ部を支持固定する支持装置の案内溝に対向した位置に突起状の案内部を有する
請求項１記載の立設装置。
【請求項６】
上記ディスプレイ部の突起状の案内部は、鞍状の輪郭で筒状に形成された
請求項５記載の立設装置。
【請求項７】
上記ディスプレイ部は前面筐体を有し、該前面筐体の下位部に上記シャフトを挿入し該ディスプレイ部を固定する第２のシャフト取付部を有する
請求項５記載の立設装置。
【請求項８】
上記ディスプレイ部は背面筐体に上記シャフトを案内し該シャフトを貫通させる第１のシャフト取り付け部を有する
請求項５記載の立設装置。
【請求項９】
上記支持部の案内部は、該スタンドの側面部に鞍状の輪郭で溝状に形成された
請求項５記載の立設装置。
【請求項１０】
上記支持部は、底面部に上記シャフトを貫通する案内部を有する
請求項５記載の立設装置。
【請求項１１】
上記支持部の底面部に形成された案内部は、上記ディスプレイ部の底面に形成された案内穴に挿入される
請求項１０記載の立設装置。
【請求項１２】
底面部と、
上記底面部に対してＬ字型に一体成型された側面部と、
上記側面部に、立設装置の背面筐体から外部に突起した筒状の案内部に対向する位置に、該ガイド部の輪郭に対応する輪郭を有した案内溝と
を有する
支持装置。
【請求項１３】
上記底面部はＬ字型の案内部を有し、該案内部にシャフトを貫通するガイド孔を有する
請求項１２記載の支持装置。
【請求項１４】
上記Ｌ字型の案内部は該支持装置に装着される立設装置の底面部に設けた案内孔に挿入する
請求項１３記載の支持装置。
【発明の詳細な説明】
【技術分野】
【０００１】
本発明は、テレビ受像機その他の立設装置とそれを装着する支持装置に関し、特に薄型のディスプレイ部とこれを装着するスタンドに関する。
【背景技術】
【０００２】
最近ブラウン管を用いたテレビ受像機に代わって、液晶テレビ受像機が用いられている。従来のブラウン管を用いたテレビ受像機は容積が大きいために専用ラックスタンドに設置する据置き型が主であったが、液晶テレビ受像機などのディスプレイ部は大型、軽量でかつ筐体の奥行きが薄いために、スタンドなどを用いて装着される。
【０００３】
図８に、従来例の液晶パネルで構成されたディスプレイ部２１０と該ディスプレイ部２１０を装着するスタンド２２０を背面下方から見た斜視図を示す。
スタンド２２０は、スタンド台２２１とこのスタンド台２２１と垂直方向に中空の支柱２２２を備え、さらにこの支柱２２２はネジでディスプレイ部２１０の背面筐体２１１と固定するために貫通孔２２３が形成されている。
また、ディスプレイ部２１０の筐体は前面筐体２１２と背面筐体２１１で構成され、分離できるように形成されている。スタンド２２０はディスプレイ部２１０に取り付けおよび取り外しできる構成になっている。
【０００４】
【特許文献１】特開平１０−３３６５５３号公報
【特許文献２】特開２００６−３０６７２号公報
【特許文献３】特開２００７−１５６１７６号公報
【発明の開示】
【発明が解決しようとする課題】
【０００５】
スタンド２２０の支柱２２２をディスプレイ部２１０の底面に設けられた嵌合部２１３に差し込んだだけでは、確実にスタンドの支柱２２２に固定されず、取り付け最中に左右（または前後）に傾いたりして、ディスプレイ部２１０が転倒する恐れがある。
ディスプレイ部２１０の転倒防止及び安定性を得るために、背面筐体２１１の支柱２２２の挿入位置近傍の大きい領域の特に上下方向にビスで固定する必要がある。
ディスプレイ部２１０をスタンド２２０に装着するとき、ディスプレイ部２１０の底面部に設けられたガイド（孔）２１３が外から見えないために、ディスプレイ部２１０を横にした状態でスタンド２２０の支柱２２２を嵌合部２１３に挿入する必要があり、ディスプレイ部２１０を立たせた状態で装着することが困難であった。
さらに、奥行きのあるディスプレイ部（２１０）の場合は、スタンド２２０にディスプレイ部を１方向で固定するだけでは不安定で、少なくとも２方向以上で固定する必要があった。
【０００６】
本発明は、ディスプレイ部をスタンドに装着時に寝かせることなく、または横にすることなくディスプレイ部の案内部とスタンドの案内溝により位置出しを容易に行うことができ、または容易に着脱できるようにする立設装置およびそれを装着する支持装置を提供する。
【課題を解決するための手段】
【０００７】
本発明の立設装置は、立てた状態に支持固定される立設装置であって、上記立設装置は、上記立設装置の背面筐体の下位部に設けられた突起状のガイド部と、上記ガイド部に隣接した位置に上記立設装置を仮に固定するシャフトを挿入する案内孔とを有する。
【０００８】
本発明の立設装置を固定する支持装置は、底面部と、上記底面部に対してＬ字型に一体成型された側面部と、上記側面部に、立設装置の背面筐体から外部に突起した筒状のガイド部に対向する位置に、該ガイド部の輪郭に対応する輪郭を有した案内溝とを有する。
【０００９】
本発明の立設装置は、ディスプレイ部を有し、該ディスプレイ部の背面筐体に該ディスプレイ部を支持固定するスタンドの案内部に対向した位置に突起状の案内部を有する。上記ディスプレイ部の突起状の案内部は、鞍状の輪郭で筒状に形成される。上記ディスプレイ部は前面筐体有し、該前面筐体の下位部に上記シャフトを挿入し該ディスプレイ部を固定するシャフト取付部を有する。上記ディスプレイ部は背面筐体に上記シャフトを案内し該シャフトを貫通させるシャフト取り付け部を有する。上記スタンドの案内部は、該スタンドの側面部に鞍状の輪郭で溝状に形成される。
【００１０】
本発明の立設装置およびそれを固定する支持装置では、立設装置を支持装置に装着するとき、立設装置の突起状のガイド部を支持装置のガイド溝に当接するように降ろして所定位置に設置する。
【発明の効果】
【００１１】
本発明の立設装置およびそれを固定する支持装置は、ディスプレイ部またはスタンドの量産時の組立作業性及び安全性を向上することができる。
また、家庭でディスプレイ部をスタンドに乗せ換えるときの作業性や製品の安全性を向上することができる。また本発明の立設装置と支持装置は、製品の外観を損なわず、省スペースで設計でき、さらに重量のある製品または形状の大きい製品にも適用することができる。
【発明を実施するための最良の形態】
【００１２】
次に、図１に本発明の実施形態である立設装置およびそれを固定する支持装置の構成図を示す。立設装置として、例えば液晶や有機ＥＬ（Ｅｌｅｃｔｒｏｌｕｍｉｎｅｓｃｅｎｃｅ）を用いた薄型のディスプレイ部（表示）１０がある。また立設装置はこれ以外に、薄型筐体の形状を成し、筐体を立てた状態で支持固定するオーディオ装置であってもよく、それ以外に薄型の大型形状をした単なる置物であっても良い。図１では薄型のディスプレイ部１０を例にとって説明する。
【００１３】
図１に示す薄型テレビ受像機などのディスプレイ部１０は、表示材料として例えば液晶や有機ＥＬ等で形成され、入力された画像信号が信号処理手段で処理された後、表示される。
またこのディスプレイ部１０は前面筐体１１と背面筐体１２の筐体により構成され、軽量のため壁掛けまたはスタンド（支持装置）２０により支持固定される。
ディスプレイ部１０を立てた状態に設置するためにスタンド２０を用い、このスタンド２０の一部をディスプレイ部１０の底面部と嵌合しさらに背面筐体の一部と当接し、その後固定手段を用いて装着する。
【００１４】
スタンド２０は、平板状で長方形の底面部（３０ａ）とその一部をＬ字型に折り曲げた側面部（３０ｂ）で構成される。さらに、スタンド２０の一部をディスプレイ部１０の底面部の案内孔１４ａ、１４ｂと嵌挿するために、底面部３０ａの略中央領域にＬ字形状（ツメ状）をしたＬ字凸部２１ａ、２１ｂを設ける。
【００１５】
一方、ディスプレイ部１０は、上述したようにスタンド２０の底面部３０ａに設けたＬ字凸部２１ａ、２１ｂをこのディスプレイ部１０の底面部に挿入するために案内孔（１４ａ、１４ｂ）も設ける。
また、ディスプレイ部１０の背面筐体１２の下位部（１００）にスタンド２０と容易に装着できるように、案内部（ガイド手段）を設ける。さらにディスプレイ部１０をスタンド２０に装着した直後にネジなどで固定する前にシャフト（１０７）を背面筐体１２の外部から上述したＬ字凸部（２１ａ、２１ｂ）の貫通孔（ガイド孔）２１ａ−１、２１ｂ−１を貫通してディスプレイ部１０の前面筐体１１の下位部（１００）近傍にあるシャフト取付部（１０４）に挿入するために、このシャフト取付部（１０４）の後方側面に案内（ガイド）孔（１０５）が設けられる。これらの具体構成については、後で構成図を用いて詳細に説明する。
【００１６】
図２に図１に示したスタンド２０を拡大した斜視図を示す。スタンド２０は、支持固定部３０とスタンド台４０で構成される。支持固定部３０は、底面部３０ａとこの底面部３０ａの後方端部にＬ字型に成型された側面部３０ｂで構成される。
側面部３０ｂは、ディスプレイ部１０がこの背面筐体１２の下位部１００に設けられた案内部１０２が容易に所定位置に装着できるようにするための案内（ガイド）溝２２と、さらに装着直後にシャフト１０７をディスプレイ部１０の背面後部からディスプレイ部１０の前面筐体１１に向かって挿入してディスプレイ部１０をスタンド２０に仮止めする貫通孔２３ａ、２３ｂが設けられている。
【００１７】
スタンド２０の底面部３０ａは、略長方形の形状を成し、側面部３０ｂと一体的に形成される。
底面部３０ａは、該底面部３０ａの略中央部に例えば断面はＬ字型を成し正面は矩形状をしたＬ字凸部（案内部：ツメ状の切り欠）２１ａ、２１ｂが設けられ、さらに、このＬ字凸部２１ａ、２１ｂにはシャフト１０７を貫通するための貫通孔２１ａ−１、２１ｂ−１がそれぞれ設けられている。
【００１８】
なお、スタンド台４０は、支持固定部３０と固着、または組立、取り外し可能とする構成を成しているが、これは本発明の本質でなくこれ以外に種々の変形例が考えられることから、図２に示す構造に限定されない。
【００１９】
図３にディスプレイ部１０がスタンド２０で支持固定されたときの背面斜視図を示す。
ディスプレイ部１０の背面の下位部１００に案内部１０２が設けられ、さらにシャフト１０７を挿入する挿入孔１０１、１０３が設けられている。図３に示すように、側面部３０ｂの案内溝２２にディスプレイ部１０の案内部１０２が当接され、また、スタンド２０の側面部３０ｂの外部すなわちディスプレイ部１０の後方から側面部３０ｂに設けられた挿入孔１０１、１０３を介して２本のシャフト１０７が挿入された状態を示す。これらの詳細な説明は後述する。
【００２０】
図４にディスプレイ部１０の背面筐体１２の下位部１００を拡大した構成図を示す。
矩形状に形成された下位部１００の略中央部に案内部１０２が設けられ、またこの案内部１０２から所定距離離れた左右の位置にシャフト１０７を挿入するための挿入孔１０１、１０３が設けられる。
案内部１０２は、図４に示すように下位部１００から後方に突起した状態で、略多角形の鞍状またはこれと類似した形状の筒が２個用いて構成される。第１の鞍状の筒が第１の距離でディスプレイ部１０の後方に突起し、第２の鞍状の筒は第１の筒より内側に第１の筒よりも外形寸法が小さくかつ第１の距離より後方に長く設定された第２の距離を有する構成となっている。
このように、案内部１０２は、ディスプレイ部１０の後方向に突起するとともに、輪郭が類似しかつその大きさが互いに異なり、さらにその突起距離が異なる大小の２段の鞍状の筒で構成される。スタンド２０側の案内溝２２の輪郭は上述した案内部１０２の輪郭と同じ形状に形成されているので、ディスプレイ部１０をスタンド２０側に降ろすと、ディスプレイ部１０の案内部１０２は、スタンド２０の側面部３０ｂに設けられた案内溝２２に案内され、スタンド２０の所定位置に装着される。
したがって、ディスプレイ部１０をスタンド２０の設置位置に厳密に設定した状態で降下する必要がなく、従来と比較して装着が容易にできる。
上述した案内部１０２は上述した形状に限定されるものでなく、Ｖ字型の突起した形状などでも良い。
【００２１】
また、案内部１０２の左右に設けられた挿入孔１０１、１０３は、スタンド２０の側面部３０ｂの貫通孔２３ａ、２３ｂに対向した位置に形成され、案内部１０２を案内溝２２に当接した後にシャフト１０７をこの貫通孔２３ａ、２３ｂから底面部３０ａの貫通孔２１ａ−１、２１ｂ−１を介してディスプレイ部１０の前面筐体１１の下位部に設けられたシャフト取付部１０４に挿入する。
【００２２】
図５にディスプレイ部１０の底面側から見た斜視図を示す。底面部１３の略中央部に案内孔１４ａ、１４ｂが形成される。この案内孔１４ａ、１４ｂには、上記スタンド２０の底面部３０ａに形成されたＬ字形状のＬ字凸部２１ａ、２１ｂが挿入される。
案内部１０２を案内溝２２に案内するとともに、Ｌ字凸部２１ａ、２１ｂを案内孔１４ａ、１４ｂに挿入することで、ディスプレイ部１０をスタンド２０に容易に位置決めすることができるとともにディスプレイ部１０が転倒することを防止することができる。またディスプレイ部１０をスタンド２０に取り付た直後に、シャフト１０７で仮固定するのでディスプレイ部１０がスタンド２０から外れたり、また仮設置の状態でディスプレイ部１０の位置がずれたり、転倒することも防止することができる。
なおＬ字凸部２１ａ、２１ｂの形状は、上述した構成以外にＶ字形状、Ｕ字形状の案内孔とすることもでき、これに限定されるものでなく、種々の変形例が考えられる。
【００２３】
図６にディスプレイ部１０の側面断面図を示す。この側面断面図は、ディスプレイ部１０の背面筐体１２の下位部１００の挿入孔１０１、１０３にシャフト１０７を貫通した時の状態を示す。
図６に示すように、ディスプレイ部１０がスタンド台４０と支持固定部３０を介して支持固定され、さらにシャフト１０７を貫通孔２１ａ−１、２１ｂ−１を貫通してディスプレイ部１０を仮固定される。また、このシャフト１０７の先端部はディスプレイ部１０の前面筐体１１の下位部に設けられたシャフト取付部１０４の固定用の案内孔１０５に挿入され仮固定される。
【００２４】
図７にディスプレイ部１０の下位近傍領域の側面断面図の拡大図を示す。
ディスプレイ部１０の背面筐体１２の下位近傍にシャフト取付部１０８と、前面筐体１１の裏面の下位近傍にシャフト取付部１０４が形成される。このシャフト取付部１０４の奥行き方向の側面１０６に、スタンド２０の底面部３０ａに設けられたＬ字凸部２１ａ、２１ｂの貫通孔２１ａ−１、２１ｂ−１に対向した位置に案内孔１０５が形成される。
【００２５】
図７において、案内部１０２が案内溝２２に当接された後、シャフト１０７が支持固定部３０の底面部３０ａの略中央部に設けられたＬ字凸部２１ａ、２１ｂの貫通孔２１ａ−１、２１ｂ−１を貫通し、さらにこのシャフト１０７の先端部が前面筐体１１のシャフト取付部１０４の案内孔１０５に挿入される。その結果、ディスプレイ部１０がスタンド２０に仮固定される。
【００２６】
次に、ディスプレイ部１０をスタンド２０に装着する動作について説明する。
ディスプレイ部１０を持ち上げスタンド２０の上部位置に持って来る。このとき、ディスプレイ部１０の凸形状の案内孔１４ａ、１４ｂがスタンド２０の底面部３０ａの略中央部に設けられたＬ字凸部２１ａ、２１ｂに対向した位置に設定する。
そして、ディスプレイ部１０の背面筐体１２の下位部１００の設けられた案内部１０２の突起部をスタンド２０の側面部３０ｂの略中央部の案内溝２２の位置に概略合わせる。
次に、ディスプレイ部１０をスタンド２０側に徐々に降下し、案内部１０２の突起部が案内溝２２に当接するまで降ろす。
またこのとき、スタンド２０の底面部３０ａの略中央部に設けられたＬ字凸部２１ａ、２１ｂが、ディスプレイ部１０の案内孔１４ａ、１４ｂに挿入されるようにする。
【００２７】
その後、案内部１０２が、側面部３０ｂの案内溝２２に当接すると、この状態で案内溝２２によりディスプレイ部１０がスタンド２０の所定位置に設置される。
次に、背面筐体１２の下位部１００に設けられた挿入孔１０１、１０３にそれぞれシャフト１０７を挿入し、底面部３０ａの貫通孔２１ａ−１、２１ｂ−１を貫通してさらにディスプレイ部１０の前面筐体１１のシャフト取付部１０４の案内孔１０５に挿入する。
シャフト１０７によりディスプレイ部１０がスタンド２０に仮固定が終わると、ネジなどで背面筐体１２に設けられたネジ孔を介してディスプレイ部１０をスタンド２０の側面部３０ｂに固着する。
【００２８】
このように、シャフト１０７を背面筐体１２の挿入孔１０１，１０３とスタンド２０の底面部３０ａの貫通孔２１ａ−１、２１ｂ−１と前面筐体１１のシャフト取付部１０４の３箇所の仮固定手段により、ディスプレイ部１０をネジなどでスタンド２０に固定する前に仮固定できる。
【００２９】
特に、ディスプレイ部１０の寸法が大きく、該ディスプレイ部１０の略中央部のスタンド２０の取付位置が正確に確認しにくい状態でスタンド２０に装着する時、上述したディスプレイ部１０は案内部１０２によりスタンド２０の所定の正確な位置に案内されるので、取り付け位置からずれることが無く容易に装着できる。
【００３０】
この結果、ディスプレイ部を立てた状態で、スタンド２０上に容易に装着することができる。
また、シャフト等を用いてスタンド２０とディスプレイ部１０のシャフト取付部１０４，１０８を仮取付でき、取付時にディスプレイ部１０が倒れることを防止することができる。
【００３１】
上述したディスプレイ部以外に、薄型オーディオ装置を立てた状態に設置するとき、スピーカまたは薄型オーディオ装置の背面筐体に案内部材とそれを固定するスタンドに案内溝を設け、薄型オーディオ装置の装着を容易に行うことができる。
この他、額縁などのケースに入れた寸法の大きい絵画や書を壁に掛ける以外に特定場所に立てて設置するときにも同様な構造とすることにより、スタンドに容易に装着することができる。
【００３２】
以上述べたように、本スタンドは、スタンド側に設けられたＬ字凸部及びＶ字または所定形状の案内溝と、ディスプレイ部に設けられた案内（ガイド）部、シャフト取付部とシャフトにより構成され、ガイド部と案内溝により、ディスプレイ部を横にする（寝かせる）ことなく、容易に装着することができる。
ディスプレイ部側の筐体の前後に設けられたシャフト取付部にスタンド側のＬ字凸部の貫通孔を介して、シャフトが挿入されることにより固定される。固定方法はネジなどで行う。この際、スタンド側のＬ字形状の案内部（Ｌ字凸部）とシャフトとのクリアランスを詰めることで、ディスプレイ部とスタンドのガタ（緩み）がなくなり、装着後の安定性を向上することができる。
シャフトは、ディスプレイ部側のシャフト取付部に挿入されていれば、シャフトのネジを完全に締めていない場合でも、ディスプレイ部の転倒を防ぐことができる。
さらに、液晶テレビ以外で軽量の薄型オーディオ装置、絵画、その他掛け軸などの薄型で寸法が大きい立設装置は、前面のシャフト取付部は必ずしも必要でない。さらに、場合によっては、スタンド側に設けられたＬ字凸部も省略するができる。
このように、本発明はスタンド取付け構造を設けることにより、省スペースで外観を損なうことなく、安全性と作業効率の向上、ディスプレイ部とスタンドの容易な着脱が可能となる。
【００３３】
本発明の立設装置において、上記立設装置はたとえばディスプレイに対応し、上記立設装置の背面筐体の下位部に設けられた突起状のガイド部はスタンドに対応し、上記ガイド部に隣接した位置に上記立設装置を仮に固定するシャフトを挿入する案内孔は上記ガイド部に隣接した位置に設けられた案内孔に対応する。
【図面の簡単な説明】
【００３４】
【図１】図１は、ディスプレイ部とスタンドの構造を示す斜視図であるある。
【図２】図２は、図１に示すスタンドの斜視図である。
【図３】図３は、図１に示すディスプレイ部の後方から見た斜視図である。
【図４】図４は、図１に示すディスプレイ部の背面部の斜視図である。
【図５】図５は、図１に示すディスプレイ部の底面から見た斜視図である。
【図６】図６は、ディスプレイ部をスタンドに装着した時の、側面断面図である。
【図７】図７は、図６を拡大した側面断面図である。
【図８】図８は、従来のディスプレイ部とスタンドの構造を示す図である。
【符号の説明】
【００３５】
１０，２１０…ディスプレイ部、１１，２１２…前面筐体、１２，２１１…背面筐体、１４ａ，１４ｂ、１０５…案内孔、２０，２２０…スタンド、２１ａ，２１ｂ…Ｌ字凸部、２２…案内溝、２３ａ，２３ｂ…貫通孔、３０ａ…底面部、３０ｂ…側面部、４０，２２１…スタンド台、１００…下位部、１０１，１０３…挿入孔、１０２…案内部、１０４，１０８…シャフト取付部、１０７…シャフト、２２２…支柱。
【図１】
2009171321.tif 000003
【図２】
2009171321.tif 000004
【図３】
2009171321.tif 000005
【図４】
2009171321.tif 000006
【図５】
2009171321.tif 000007
【図６】
2009171321.tif 000008
【図７】
2009171321.tif 000009
【図８】
2009171321.tif 000010